(57)【要約】【課題】組立式蛇篭について、前後面の膨らみを解消できると共に、設置面の多少の起伏にも対応できるようにする。また、溶接金網と菱形金網の連結を容易に行えるようにし、溶接金網の取り扱いを容易にする。【解決手段】組立式蛇篭１０は、前後及び左右の側面網１１〜１４と、底面網１５と、上面網１６とを組み合せてなり、側面網が溶接金網により形成され、底面網及び上面網が菱形金網により形成される。溶接金網の線条端に線材を丸めた取付輪１１ａ〜１４ａを設け、菱形金網の線条端を内部から連続した菱形に保持し、菱形の山部の内側及び取付輪に共通の連結骨線１８を挿通することにより、溶接金網と菱形金網を連結する。溶接金網を、一方の列を丸線で、これに直交する他方の列を平線で形成することにより、金網の剛性が高められる。溶接金網の各長方形の枠毎に、各線材Ｗの中間部分に円弧形の曲り部Ｗｃを設けることにより、柔軟性が得られる。【選択図】    図１
2004204626.tif 000002
【特許請求の範囲】
【請求項１】
前後及び左右の側面網と、底面網と、上面網とを組み合せてなる組立式蛇篭において、前記側面網が溶接金網により形成され、前記底面網及び上面網が菱形金網により形成されたことを特徴とする組立式蛇篭。
【請求項２】
前記溶接金網の線条端に取付輪を設け、前記菱形金網の線条端を内部から連続した菱形に保持し、該菱形の山部の内側及び前記取付輪に共通の連結骨線を挿通することにより、該溶接金網と菱形金網が連結されたことを特徴とする前記請求項１に記載の組立式蛇篭。
【請求項３】
前記溶接金網が、一方の列が断面円形の丸線で、これに直交する他方の列が断面矩形の平線で構成されたことを特徴とする前記請求項１又は２に記載の組立式蛇篭。
【請求項４】
前記溶接金網の各長方形の枠毎に、各線材の中間部分に円弧形の曲り部を設けたことを特徴とする前記請求項１から３のいずれか１項に記載の組立式蛇篭。
【請求項５】
前後及び左右の側面網と、底面網と、上面網とにより構成されると共に、溶接金網により形成された面と菱形金網により形成された面とが組合わされてなる組立式蛇篭において、前記溶接金網の線条端に取付輪を設け、前記菱形金網の線条端を内部から連続した菱形に保持し、該菱形の山部の内側及び前記取付輪に共通の連結骨線を挿通することにより、該溶接金網と菱形金網が連結されたことを特徴とする組立式蛇篭。
【請求項６】
前後及び左右の側面網と、底面網と、上面網とにより構成されると共に、少なくとも一面が溶接金網により形成されている組立式蛇篭において、前記溶接金網が、一方の列が断面円形の丸線で、これに直交する他方の列が断面矩形の平線で構成されたことを特徴とする組立式蛇篭。
【請求項７】
前記溶接金網の各長方形の枠毎に、各線材の中間部分に円弧形の曲り部を設けたことを特徴とする前記請求項６に記載の組立式蛇篭。
【請求項８】
前後及び左右の側面網と、底面網と、上面網とにより構成されると共に、少なくとも一面が溶接金網により形成されている組立式蛇篭において、前記溶接金網の各長方形の枠毎に、各線材の中間部分に円弧形の曲り部を設けたことを特徴とする組立式蛇篭。
【発明の詳細な説明】
【０００１】
【発明の属する技術分野】
本発明は、河川や海岸等における護岸工事や、宅地造成工事、運動場の造成工事等に用いられる組立式蛇篭に関する。
【０００２】
【従来の技術】
従来、この種の組立式蛇篭は、全体が菱形金網で形成されており、内部に石詰めした状態で現場に設置される。しかし、この組立式蛇篭は、全体が菱形金網で形成されているため、柔軟性が大きく、石詰めによって周囲の面が大きく膨出変形し、特に多数の蛇篭をその前面が造成した斜面に露出するように設置する場合には、その前面が外側から支持されていないために最も変形し易い。そのために、多数の蛇篭が不揃いになったり、変形分だけ蛇篭の高さが低くなって、上段の蛇篭の沈下や傾きが生じる等、斜面が雑然となり易く、造成した斜面の体裁が著しく損なわれるという問題があった。
【０００３】
これに対して、例えば特許文献１に示すように、柔軟性のある菱形金網で形成された胴網と、剛性のある溶接金網で形成された蓋網とを有する組立式蛇篭が知られている。この蛇篭によれば、胴網が柔軟性のある菱形金網で形成されているため、地盤の凹凸に応じて容易に変形することにより、その設置が安定的に行われ、また蓋網が剛性のある溶接金網で形成されているため、土砂や石礫の充填による蓋網の膨出変形が生じ難い、というものである。しかし、この蛇篭の場合、前後面の蓋網が溶接金網により剛性が高いが、側面が柔軟な菱形金網であるため、依然として側面側での膨出変形が解消されず、それに伴う上記問題が残される。さらに、この蛇篭は、高価な菱形金網を多く使用するため、その分蛇篭のコストが高価になるという問題もある。
【０００４】
また、他の蛇篭としては、例えば特許文献２に示すように、底面網と上面網とが溶接金網等の剛性金網により形成され、前後及び左右の側面網の内の少なくとも一つが菱形金網等の柔軟性金網により形成され残りが剛性金網により形成されたものが知られている。この蛇篭によれば、設置面が平坦な場合はよいが、設置面に多少の隆起や小さな岩等がある場合には、底面が柔軟性がないため、設置が不安定になるという問題がある。
【０００５】
また、上記特許文献1に示した蛇篭は、溶接金網と菱形金網の連結において対応する辺の線条端にそれぞれ環を設け、それぞれの環に共通の連結骨線を挿通することにより両者を連結している。しかし、この連結方法によれば、溶接金網と菱形金網の両者に環を設ける必要があり、特に溶接金網にくらべて菱形金網に環を設けることは、手間がかかり、そのために菱形金網のコストをさらに高価にするという問題がある。さらに、溶接金網は、剛性が高いため、柔軟性が非常に低いため、その取り扱いが困難な場合がある。
【０００６】
【特許文献１】
実開昭６４−１９６３５号公報（第２頁、第１，３図）
【特許文献２】
実開平６−６３６２５号公報（第２頁、図１，２）
【０００７】
【発明が解決しようとする課題】
本発明は、上記した問題を解決しようとするもので、側面の膨らみを解消できると共に、設置面の多少の起伏にも対応できる安価な組立式蛇篭を提供することを目的とする。また、本発明のその他の目的は、溶接金網と菱形金網の連結を容易に行えるようにすることであり、さらに溶接金網の取り扱いを容易にすることである。
【０００８】
【課題を解決するための手段】
上記目的を達成するために請求項１の発明の構成上の特徴は、前後及び左右の側面網と、底面網と、上面網とを組み合せてなる組立式蛇篭において、側面網が溶接金網により形成され、底面網及び上面網が菱形金網により形成されたことにある。
【０００９】
上記のように構成した請求項１の発明においては、組立式蛇篭の側面網が溶接金網により形成されていることにより、石詰めによっても側面の膨らみを防止することができる。そのため、多数の蛇篭をその前面が造成した斜面に露出するように設置しても、多数の蛇篭が不揃いになったり、変形分だけ蛇篭の高さが低くなって、上段の蛇篭の沈下や傾きが生じる等の問題が解消される。また、底面網及び上面網が菱形金網により構成されていることにより、設置面の土砂や石礫の重点による多少の起伏に対しても容易に変形して、対応することができる。さらに、蛇篭の側面全体が安価な溶接金網によって形成されていることにより、蛇篭のコストが安価にされる。
【００１０】
また、上記請求項２の発明の構成上の特徴は、前記請求項１に記載の組立式蛇篭において、溶接金網の線条端に取付輪を設け、菱形金網の線条端を内部から連続した菱形に保持し、菱形の山部の内側及び取付輪に共通の連結骨線を挿通することにより、溶接金網と菱形金網が連結されたことにある。このように、溶接金網の線条端のみに取付輪を設け、菱形金網の端部を内部から連続した菱形に保持し、菱形の山部の内側及び取付輪に共通の連結骨線を挿通することにより、簡易かつ安価に溶接金網と菱形金網を連結することができる。
【００１１】
また、上記請求項３の発明の構成上の特徴は、前記請求項１又は２に記載の組立式蛇篭において、溶接金網が、一方の列が断面円形の丸線で、これに直交する他方の列が断面矩形の平線で構成されたことにある。このように、溶接金網の互いに直交する一方の列を断面円形の丸線で、他方の列を断面矩形の平線で形成することにより、両線の接触が密になり、溶接による接着強度が高められる。
【００１２】
また、上記請求項４の発明の構成上の特徴は、前記請求項１から３のいずれか1項に記載の組立式蛇篭において、溶接金網の各長方形の枠毎に、各線材の中間部分に円弧形の曲り部を設けたことにある。これにより、剛性の高い溶接金網に、各線材の中間部分に設けた円弧形の曲り部により柔軟性が加えられ、その取り扱いが容易にされる。
【００１３】
また、上記請求項５の発明の構成上の特徴は、前後及び左右の側面網と、底面網と、上面網とにより構成されると共に、溶接金網により形成された面と菱形金網により形成された面とが組合わされてなる組立式蛇篭において、溶接金網の線条端に取付輪を設け、菱形金網の線条端を内部から連続した菱形に保持し、菱形の山部の内側及び取付輪に共通の連結骨線を挿通することにより、溶接金網と菱形金網が連結されたことにある。このように、前後及び左右の側面網と、底面網と、上面網とのいずれか隣接する網が、溶接金網と菱形金網が組合わされている場合に、溶接金網の線条端にのみ取付輪を設け、菱形金網の端部を内部から連続した菱形に保持し、菱形の山部の内側及び取付輪に共通の連結骨線を挿通することにより、簡易かつ安価に溶接金網と菱形金網を連結することができる。
【００１４】
また、上記請求項６の発明の構成上の特徴は、前後及び左右の側面網と、底面網と、上面網とにより構成されると共に、少なくとも一面が溶接金網により形成されている組立式蛇篭において、溶接金網が、一方の列が断面円形の丸線で、これに直交する他方の列が断面矩形の平線で構成されたことにある。このように、溶接金網の互いに直交する一方の列を断面円形の丸線で、他方の列を断面矩形の平線で形成することにより、両線の接触が密になり、溶接による接着強度が高められる。
【００１５】
また、上記請求項７の発明の構成上の特徴は、前記請求項６に記載の組立式蛇篭において、溶接金網の各長方形の枠毎に、各線材の中間部分に円弧形の曲り部を設けたことにある。これにより、剛性の高い溶接金網に、各線材の中間部分に設けた円弧形の曲り部により柔軟性が加えられ、その取り扱いが容易にされる。
【００１６】
また、上記請求項８の発明の構成上の特徴は、前後及び左右の側面網と、底面網と、上面網とにより構成されると共に、少なくとも一面が溶接金網により形成されている組立式蛇篭において、溶接金網の各長方形の枠毎に、各線材の中間部分に円弧形の曲り部を設けたことにある。このように、少なくとも一面が溶接金網により構成されている組立式蛇篭において、剛性の高い溶接金網の各線材の中間部分に設けた円弧形の曲り部によって柔軟性が加えられたことにより、溶接金網の取り扱いが容易にされる。
【００１７】
【発明の実施の形態】
以下、本発明の一実施の形態について図面を用いて説明する。図１は組立式蛇篭を一部分解斜視図により示し、図２は組立式蛇篭の溶接金網と菱形金網の連結部分を部分拡大図により示したものである。組立式蛇篭１０は、前後及び左右の側面網１１〜１４と、底面網１５と、上面網１６とを組み合せた直方体の篭であり、内部に土砂や石礫を充填して使用される。側面網１１〜１４は、縦横に配列された鋼線を溶接により固定した溶接金網により形成されており、底面網１５及び上面網１６は、鋼線を菱形に編み合わせた菱形金網により形成されている。鋼線としては、断面円形の丸線である例えば亜鉛アルミニウム合金メッキ鉄線が使用される。
【００１８】
側面網１１〜１４は、1枚の長尺の溶接金網を折り曲げて、長方形枠状に加工される。側面網１１〜１４は、その上下の両線状端に鋼線の先端を丸めた小輪である取付輪１１ａ〜１４ａを設けている。一方、底面網１５及び上面網１６は、その線条端が、菱形金網の内部から連続した菱形に保持されて菱形の山部が外側に突出して配列されている。そして、底面網１５と側面網１１〜１４は、図２に示すように、それぞれ線状端が合わされた状態で、取付輪１１ａ〜１４ａに鋼線である連結骨線１８が挿入され、さらに連結骨線１８が菱形金網の山部Ｈの内側を交叉して挿通され、その繰り返しにより底面網１５と側面網１１〜１４とが相互に連結される。これにより、上面開放の箱状の篭１０ａが形成される。この箱状の篭１０ａの内部に土砂や石礫を充填した後、上面網１６が被せられて、上面網１６と側面網１１〜１４について同様に連結骨線１９を用いて連結され、蛇篭１０として形成される。
【００１９】
上記構成の組立式蛇篭１０は、その側面網１１〜１４全体が溶接金網により形成されていることにより、石詰めによっても側面の膨らみを防止することができる。そのため、多数の蛇篭１０をその前面が造成した斜面に露出するように設置しても、多数の蛇篭が不揃いになったり、変形分だけ蛇篭の高さが低くなって、上段の蛇篭の沈下や傾きが生じる等の問題が解消され、多数の蛇篭１０が斜面に体裁良く整然と配置される。また、底面網１５及び上面網１６が菱形金網により構成されていることにより、蛇篭１０を設置する地面の多少の起伏に対しても容易に変形することにより、対応することができる。また、蛇篭１０は、側面網全体が安価な溶接金網によって形成されていることにより、蛇篭のコストが安価にされる。
【００２０】
また、側面網１１〜１４を形成する溶接金網の線条端のみに取付輪１１ａ〜１４ａを設け、底面網１５及び上面網１６を構成する菱形金網の線条端を内部から連続した菱形に保持し、連結骨線１８を菱形の山部Ｈの内側を交叉して挿通し、さらに取付輪１１ａ〜１４ａに挿通することにより、側面網１１〜１４と底面網１５及び上面網１６とを、それぞれ簡易かつ安価に連結させることができる。
【００２１】
つぎに、第２実施形態について説明する。
本実施形態では、図３に示すように、上記側面網１１〜１４を形成する溶接金網について、互いに直交する一方の列を断面円形の丸線Ｗｍで、他方の列を断面矩形の平線Ｗｆで形成したものである。これにより、従来の丸線と丸線を縦横に組み合せて溶接固定したものに比べて、両線Ｗｍ，Ｗｆの接触が密になり、溶接による接着強度が高められる。その結果、溶接金網の剛性がさらに高められる。
なお、本実施形態については、第１実施形態に示した蛇篭１０の側面網に限らず、一部の面が溶接金網で形成された蛇篭の溶接金網部分に対しても同様に適用することができる。
【００２２】
つぎに、第３実施形態について説明する。
本実施形態では、図４に示すように、上記側面網１１〜１４を形成する溶接金網について、各長方形の枠毎に、各線材Ｗの中間部分に円弧形の曲り部Ｗｃを設けたものである。これにより、各線材Ｗの中間部分に設けた円弧形の曲り部Ｗｃによって剛性の高い溶接金網に柔軟性が加えられるため、その取り扱いが容易になるという効果が得られる。なお、本実施形態については、第１実施形態に示した蛇篭１０の側面網に限らず、一部の面が溶接金網で形成された蛇篭の溶接金網部分に対しても同様に適用することができる。
なお、上記実施形態に示した組立式蛇篭については、一例であり、本発明の主旨を逸脱しない範囲において種々変更実施することが可能である。
【００２３】
【発明の効果】
上記請求項１の発明によれば、組立式蛇篭の側面網が溶接金網により形成されていることにより、石詰めによっても側面の膨らみを防止することができ、蛇篭の体裁を損なわずに整然と積載使用することができる。また、底面網及び上面網が菱形金網により構成されていることにより、設置面の多少の起伏に対しても容易に変形して、対応することができる。
【００２４】
また、溶接金網の線条端のみに取付輪を設け、菱形金網の端部を内部から連続した菱形に保持し、菱形の山部の内側及び取付輪に共通の連結骨線を挿通することにより、簡易かつ安価に溶接金網と菱形金網を連結することができる（請求項２，５の発明の効果）。さらに、溶接金網の互いに直交する一方の列を断面円形の丸線で、他方の列を断面矩形の平線で形成することにより、両線の溶接による接着強度が高められ、その結果、金網の剛性が高められる（請求項３，６の発明の効果）。また、剛性の高い溶接金網に、各線材の中間部分に設けた円弧形の曲り部により柔軟性が加えられ、その取り扱いが容易にされる（請求項４，７，８の発明の効果）。
【図面の簡単な説明】
【図１】本発明の一実施形態である組立式蛇篭を概略的に示す一部分解斜視図である。
【図２】組立式蛇篭を構成する溶接金網製の側面網と、菱形金網製の上面網、底面網との連結部分を拡大して示す説明図である。
【図３】第２実施形態である組立式蛇篭を構成する溶接金網の一部を示す説明図である。
【図４】第３実施形態である組立式蛇篭を構成する溶接金網の一部を示す説明図である。
【符号の説明】
１０…組立式蛇篭、１１〜１４…側壁網、１１ａ〜１４ａ…取付輪、１５…底面網、１６…上面網、１８…連結骨線。
【図１】
2004204626.tif 000003
【図２】
2004204626.tif 000004
【図３】
2004204626.tif 000005
【図４】
2004204626.tif 000006